(57)【要約】【課題】携帯品に組込む近距離無線通信装置を使い易く安全にする手段を提案する。【解決手段】本発明は、近距離無線通信装置を含む携帯品を提案する。通信装置は、アンテナ（１１）を含み、該アンテナの両端部を、電子チップ（１０）に電気的に接続して、該チップと共に、電気回路を形成するようにする。基本的に、携帯品は、制御要素を含み、該制御要素を、２つの所定位置、即ち、通信装置を作動する作動位置と、通信装置を作動停止する非作動位置との間で、変位可能にする。携帯品は、制御要素が、該要素の所定位置の一方から他方に変位するのに応じて、開状態と閉状態とを切替えできる機械スイッチ（４１）を更に含む。【選択図】図１
2018109623.tif 000002
【特許請求の範囲】
【請求項１】
近距離無線通信装置を含む携帯品であり、該通信装置は、アンテナ（１１）を含み、該アンテナの両端部を、電子チップ（１０）に電気的に接続して、前記電子チップ（１０）と共に電気回路を形成するようにした、携帯品であって、
該携帯品は、２つの所定位置、即ち、前記通信装置を作動する作動位置と、前記通信装置を作動停止する非作動位置との間で、変位できる制御要素（９、１８、２２、３１）を含み、前記携帯品は、前記制御要素（９、１８、２２、３１）が、該要素の所定位置の一方から他方に変位するのに応じて、開状態と閉状態とを切替えできる機械スイッチ（４１）を更に含むこと、  
前記機械スイッチ（４１）は、リードスイッチ（２６）であること、及び
前記携帯品は、永久磁石（２７）を含み、該永久磁石は、前記リードスイッチ（２６）に対して可動であり、前記制御要素の変位に応じて、前記リードスイッチ（２６）の状態を変更できること、を特徴とする携帯品。
【請求項２】
前記機械スイッチ（４１）を、電気回路に直列に取付けること、及び前記スイッチを、前記制御要素が非作動位置にあるときに、開状態にすることを特徴とする、請求項１に記載の携帯品。
【請求項３】
前記機械スイッチ（４１）を、前記アンテナと並列に取付けること、及び前記スイッチを、前記制御要素が非作動位置にあるときに、閉状態にすることを特徴とする、請求項１に記載の携帯品。
【請求項４】
前記永久磁石（２７）を、前記制御要素に運動学的に接続することを特徴とする、請求項１に記載の携帯品。
【請求項５】
前記リードスイッチ（２６）を、前記制御要素に運動学的に接続することを特徴とする、請求項１に記載の携帯品。
【請求項６】
前記携帯品は、実質的に垂直に配置する少なくとも２個のリードスイッチを含むことを特徴とする、請求項１、請求項４及び請求項５の一項に記載の携帯品。
【請求項７】
前記携帯品は、外部磁界の存在下で、前記リードスイッチ（２６）と同時に状態を変えるように設けた安全化スイッチ（３３）を含むことを特徴とする、請求項１、請求項４から請求項６の一項に記載の携帯品。
【請求項８】
前記携帯品は、前記作動位置から前記非作動位置に自動的に前記制御要素を戻すように設けた弾性復元手段（１６）を含むことを特徴とする、請求項１から請求項７の一項に記載の携帯品。 
【請求項９】
前記復元手段（１６）は、弾性要素を含むことを特徴とする、請求項８に記載の携帯品。
【請求項１０】
前記制御要素が前記作動位置から前記非作動位置へ戻るのを遅延するよう設けた時間遅延手段を含むことを特徴とする、請求項８又は請求項９に記載の携帯品。
【請求項１１】
前記携帯品は、腕時計（１）であることを特徴とする、請求項１から請求項１０の一項に記載の携帯品。
【請求項１２】
前記携帯品は、回動ベゼル（９）を含むこと、及び前記制御要素は、前記ベゼル（９）であることを特徴とする、請求項１１に記載の携帯品。
【請求項１３】
前記アンテナを、「Ｃｅｒａｇｏｌｄ（登録商標）」加工によって形成することを特徴とする、請求項１２に記載の携帯品。
【請求項１４】
前記アンテナを、「非晶質金属」加工によって形成することを特徴とする、請求項１２に記載の携帯品。
【請求項１５】
前記携帯品は、押ボタン（１８）を含むこと、及び前記制御要素は、前記押ボタン（１８）であることを特徴とする、請求項１１に記載の携帯品。
【請求項１６】
前記携帯品は、制御竜頭を含むこと、及び前記制御要素は、前記制御竜頭であることを特徴とする、請求項１１に記載の携帯品。
【請求項１７】
前記携帯品は、ＩＣカード（２０）であることを特徴とする、請求項１から請求項１０の一項に記載の携帯品。
【請求項１８】
前記ＩＣカードは、部品（２２）を画成する可撓セグメント（２１）を含むこと、及び前記部品（２２）は、前記制御要素であることを特徴とする、請求項１７に記載の携帯品。
【請求項１９】
前記ＩＣカードは、少なくとも部分的に凹部（３２）を画成する変形可能な壁（３１）を含むこと、及び前記変形可能な壁（３１）は、前記制御要素であることを特徴とする、請求項１７に記載の携帯品。
【発明の詳細な説明】
【技術分野】
【０００１】
本発明は、微少技術の分野に関する。本発明は、特に、近距離無線通信装置を含む携帯品に関する。  
【背景技術】
【０００２】
例えば、無線タグを使用する近距離無線通信手段を内蔵した携帯品を作製することが知られている。これらの接続手段は、アンテナに電気的に接続した電子チップ、又は集積回路から構成される。大抵の場合、これらの装置は、自律的な電源供給を必要とせず、リーダに接近すると直ぐにリーダと自動的に通信するようになっている。リーダの電磁場は、アンテナにおいて誘導電流を発生させ、誘導電流がチップに供給され、次に、チップが、アンテナを介して信号を発信可能になる。 
【０００３】
現在、こうした装置は、非接触型支払いを、専用の端末で実行可能にするＩＣカードにおいて見受けられる。また、欧州特許出願第６０３７２１号（特許文献１）、欧州特許出願第９７４８７８号（特許文献２）、スイス国特許出願第６９０５２５号（特許文献３）又はスイス国特許出願第７０４５８３号（特許文献４）が知られており、これら特許文献では、アンテナを、文字盤、胴部、ベゼル、ガラスシール又はガラス等、腕時計の様々な場所に隠蔽する近距離無線通信手段を含む腕時計が記述される。他の構成は、基部に、ムーブメントに、又はバンドにさえも、アンテナを収容するようにしている。腕時計にこれらの非接触型無線通信装置を組込むことで、情報操作、識別操作、ロック操作、アクセス制御操作又は支払操作を行う等、多くの用途が可能になる。
【０００４】
しかしながら、これらの自動通信装置は、悪意のある第三者に対して脆弱性が高く、悪意のある第三者らは、送受信機にアプローチすることによって、装置の所有者が知らないうちに、秘密情報を回復したり、第三者自らの利益になるように銀行振込をしたりすることもあり得る。様々な方法が、近距離無線通信装置を安全化するために開発されている。その結果、ペイメントカードは、ファラデケージのように機能し、如何なる通信の確立も防止する遮蔽ケースに収納できる。米国特許出願第２０１６／０１８８９２５号（特許文献５）では、適当な補助リーダを使用して、電子スイッチを有する無線タグを作動又は作動停止（ｄｅａｃｔｉｖａｔｅ）する方法について記載している。電子的なロック解除操作は、面倒で、通信を確立する以外のオブジェクトを処理する必要があるため、特に実用的でないことが分かっている。その上、近距離無線通信装置は、作動時から通信を確立する時までの間、脆弱なままであるため、安全性の面で欠陥がある。既知の様々な安全化方法は、腕時計等、幾つかの携帯品には不適当であり、特に実用的でなく、完全にはハッキングの危険性を排除できない。
【先行技術文献】
【特許文献】
【０００５】
【特許文献１】欧州特許出願第６０３７２１号
【特許文献２】欧州特許出願第９７４８７８号
【特許文献３】スイス国特許出願第６９０５２５号
【特許文献４】スイス国特許出願第７０４５８３号
【特許文献５】米国特許出願第２０１６／０１８８９２５号
【発明の概要】
【発明が解決しようとする課題】
【０００６】
本発明の目的は、従来技術のソリューションより使い易くて安全な、携帯品に組込む近距離無線通信装置を安全化する手段を提案することである。
【課題を解決するための手段】
【０００７】
特に、本発明は、近距離無線通信装置を含む携帯品に関する。通信装置は、アンテナを含み、アンテナの両端部を、標準装備としてフィルタ、通常バンドパスフィルタを組込む電子チップに電気的に接続して、電子チップと共に、電気回路を形成するようにする。基本的に、携帯品は、２つの所定位置、即ち、通信装置を作動する作動位置と、通信装置を作動停止する非作動（ｐａｓｓｉｖｅ）位置との間で、変位できる制御要素を含む。更に、携帯品は、制御要素が、該要素の所定位置の一方から他方に変位するのに応じて、開状態と閉状態とを切替えできる機械スイッチを含む。  
【０００８】
この構成により、携帯品に組込んだ近距離無線通信装置を安全化しながら、この安全化に必要な操作を簡素化できる。
【０００９】
本発明の第１変形例によると、機械スイッチを、電気回路に直列に取付け、制御要素が非作動位置にあるときに、開状態にする。
【００１０】
第２変形例によると、機械スイッチを、アンテナと並列に取付け、制御要素が非作動位置にあるときに、閉状態にする。
【００１１】
本発明の別の有利な変形例によると、機械スイッチは、リードスイッチであり、携帯品は、永久磁石を含み、該永久磁石は、リードスイッチに対して可動であり、制御要素の変位に応じてリードスイッチの状態を変更できる。
【００１２】
本発明の別の有利な変形例によると、永久磁石を、運動学的に制御要素に接続する。
【００１３】
本発明の別の有利な変形例によると、リードスイッチを、運動学的に制御要素に接続する。
【００１４】
本発明の別の有利な変形例によると、携帯品は、実質的に垂直に配置する少なくとも２個のリードスイッチを含む。
【００１５】
本発明の別の有利な変形例によると、携帯品は、外部磁界の存在下で、リードスイッチと同時に状態を変えるように設けた安全化スイッチを含む。 
【００１６】
本発明の有利な変形例によると、携帯品は、作動位置から非作動位置に自動的に制御要素を戻すように設けた弾性復元手段を含む。  
【００１７】
本発明の別の有利な変形例によると、復元手段は、弾性要素を含む。
【００１８】
本発明の別の有利な変形例によると、携帯品は、制御要素が作動位置から非作動位置へ戻るのを遅延するよう設けた時間遅延手段を含む。
【００１９】
本発明の別の有利な変形例によると、携帯品は、腕時計である。 
【００２０】
本発明の別の有利な変形例によると、腕時計は、制御要素である回動べゼルを含む。
【００２１】
本発明の別の有利な変形例によると、アンテナを、「Ｃｅｒａｇｏｌｄ（登録商標）」加工によって形成する。
【００２２】
本発明の別の有利な変形例によると、腕時計は、制御要素である押ボタンを含む。
【００２３】
本発明の別の有利な変形例によると、携帯品は、ＩＣカードである。
【００２４】
本発明の別の有利な変形例によると、ＩＣカードは、制御要素である部品を画成する可撓セグメントを含む。
【００２５】
本発明の別の有利な変形例によると、ＩＣカードは、少なくとも部分的に凹部を画成する変形可能な壁を含み、該変形可能な壁は、制御要素である。
【００２６】
本発明に関する他の細部については、添付図を参照して行う以下の記載を読むと、一層明らかになるであろう。
【図面の簡単な説明】
【００２７】
【図１】本発明の第１変形例の基本図を表している。
【図２】本発明の第２変形例を表している。
【図３】本発明の第１実施形態による腕時計の図を表している。
【図４】図３で表した腕時計の断面図を表している。
【図５】スイッチが電気回路に直列である場合の、非作動位置にある、図３の腕時計の断面図を表している。
【図６】スイッチが電気回路に直列である場合の、作動位置にある、図３の腕時計の断面図を表している。
【図７】図３の腕時計のベゼルに関する実施形態の変形例の斜視図を表している。
【図８】本発明による腕時計の実施形態に関する細部の断面図を表している。
【図９】リードスイッチを用いて安全化する装置の基本図を表している。
【図１０】リードスイッチを用いて安全化する装置の基本図を表している。
【図１１】本発明の第２実施形態による腕時計の図を表している。
【図１２】スイッチが電気回路と直列である場合の、非作動位置にある、本発明によるＩＣカードの第１変形例を表している。
【図１３】スイッチが電気回路と直列である場合の、作動位置にある、本発明によるＩＣカードの第１変形例を表している。
【図１４】本発明によるＩＣカードの第２変形例の断面図を表している。
【図１５】本発明によるＩＣカードの第２変形例の断面図を表している。
【発明を実施するための形態】
【００２８】
図１及び図２は、本発明が携帯品に組込むよう提案する安全化した近距離無線通信装置の基本図を表している。通信装置は、電子チップ１０を含み、電子チップ１０の２端子を、ループ形をしたアンテナ１１の両端部に接続し、例えばＲＬＣ型のバンドパスフィルタを組込んだ、電子チップ１０と共に、電気回路を形成する。
【００２９】
図１に表した第１変形例では、機械スイッチ４１を、電気回路に直列に取付けている。スイッチ４１は、開状態を表す位置にある、即ち、通信装置を作動停止し、その結果安全化している。スイッチ４１を閉成すると、装置が作動状態になり、近距離無線通信を実行可能になる。
【００３０】
図２に表した第２変形例では、バイパス分岐部４２が、電子チップの端子に接続され、アンテナ１１によって形成した分岐部と並列な分岐部を構成する。バイパス分岐部は、従って、アンテナ１１と並列に取付けた位置にあるスイッチ４１を含む。スイッチが閉状態にあるとき、アンテナは短絡し、通信装置を作動停止する。逆に、スイッチが図２に表した開状態になると、装置は、作動され、通信可能になる。
【００３１】
図１〜図４は、本発明の第１変形例による第１携帯品、即ち、アナログディスプレイを有する腕時計１を表しており、腕時計１は、胴部２、制御竜頭３、文字盤４、針５、６、ガラス７及びムーブメント８を含む。また、腕時計は、ベゼル９を含み、ベゼル９を、ケース２に対して２方向（図３の矢印Ｆ）に、以下の説明で分かるように少なくとも１所定角度距離に亘り回動可能に取付ける。更に、腕時計は、近距離無線通信装置を含み、該装置は、胴部２に収容する電子チップ１０及びループ形をしたアンテナ１１から成り、アンテナ１１の両端部を、電気的に電子チップ１０に接続して、電子チップ１０と共に電気回路を形成するようにしている。アンテナを、導電材料、通常金属材料で、ベゼル９の上部に亘り形成する。ベゼルを、好適には、セラミック等の絶縁材料で作製する。かかる部品の製造は、欧州特許出願第２７２５０００号に記載された「Ｃｅｒａｇｏｌｄ（登録商標）」加工によって行うことができる。この加工により、導電材料で端部１２、１３を作製できるが、両端部は、間隔を空けた状態で、ベゼル９を横断し、ベゼルの上部にあるアンテナをベゼルの下部まで接続する。電子チップ１０に接続した弾性接触脚１４、１５を、ベゼル９の下部に当接するように、設ける。
【００３２】
制御要素、ここではベゼルが、図５で表した、非作動位置と呼ぶ、第１所定位置にあるとき、接触脚１４、１５は、ベゼル９の絶縁材料に当接し、それによりアンテナ１１及びチップ１０によって形成する電気回路を開成すると共に、近距離無線通信装置を、作動停止する。  
【００３３】
制御要素が、図６に表した、作動位置と呼ぶ、第２所定位置にあるとき、接触脚１４、１５は、端部１２、１３の導電材料に当接し、それにより電子チップ１０を、アンテナ１１に電気的に接続すると共に、電気回路が作動状態になり、近距離にあるとき電気回路の機能を実行できる。
【００３４】
従って、ベゼル９を回動させることによって、近距離無線通信装置を自由自在に作動及び作動停止でき、それにより装置を作動停止することによって、不正通信の危険を防げる。一方が、ベゼル及び端部１２、１３から成り、他方が、接触脚１４、１５及びケースから成る組立体は、図１の基本図に見られるような、機械スイッチ４１を形成する。ここで説明した実施例は、スイッチが電気回路と直列であることを考慮に入れている。勿論、このスイッチが電気回路と並列である場合や、閉位置が非作動状態の回路、開位置が作動状態の回路に其々対応する場合にも、適合できる。
【００３５】
また、腕時計１は、ベゼル９を作動位置から非作動位置に戻すために設けたバネ１６の形をした復元手段を含むことができる。バネ１６を、胴部のハウジング内に設置し、ベゼル９と一体化した凸部１７に当接させる。図示していない制限止め部により、接触脚１４、１５が、アンテナ１１の端部１２、１３に当接する作動位置で、ベゼルの位置を指標できる。
【００３６】
例えば、支払いするために、装置を作動したいユーザは、ベゼル９を、復元バネ１６の作用に抵抗して、制限止め部まで回動しなければならない。ユーザがベゼル９を解放すると、ベゼルは、装置が非作動状態になる非作動位置に自動的に戻る。その結果、復元手段は、ベゼルが作動位置にあるのを忘れる危険性を軽減することによって、更なる安全性を提供する。或いは、非作動位置への戻りを減速又は遅延するために、制御要素のレベルで時間遅延手段を導入して、通信装置が、ユーザが作動位置に制御要素を維持する必要なく、接続を確立するのに必要な時間だけ作動状態を保つようにすることも考えられる。これは、別の利点として、ユーザが制御要素を早く解放し過ぎた可能性がある場合に、通信エラーを避けるという利点を提供する。
【００３７】
アンテナの作製に関して他の技術的解決方法も可能である。ガルバニック成長を、半田ペーストで置換できる。また、ベゼルを、ループ式のコイル巻きワイヤの形をしたアンテナを挿入するように、セラミック材料に機械加工できる。図７で表した別の変形例では、絶縁材料で、回動ベゼル９を作製してあり、該ベゼルは、その円周上に、ハウジング２３を含み、該ハウジング２３内に、電子チップ１０とループの形をしたアンテナ１１を有する薄いプリント回路２４を、挿入する。カバー２５により、ハウジング２３を密閉できる一方で、プリント回路２４を保護し、固定できる。カバー２５を、ポリマやセラミック等、如何なる種類の絶縁材料でも作製できる。アンテナ１１によって形成した回路は、開成しており、該回路の端部は、図５及び図６と関連して表したケースと類似するケースにある導電性ブレードに対向して開成している。両端部は、ベゼルが作動位置になると、近距離無線通信装置を作動するように、導電性ブレードとガルバニック接触する。
【００３８】
図８は、図５の腕時計に関する別の変形例の断面を表しており、電子チップ１０とアンテナ１１から成る電気回路は、別の種類の電気スイッチ、この場合、上述したガルバニックスイッチの代わりに、リードスイッチ式の可撓性ブレードを有する磁気スイッチ２６を含む。この場合、腕時計は、更に、ケースに運動学的に接続し、それ自体を制御要素に運動学的に接続したリードスイッチ２６に対して可動な永久磁石２７を含む。組立体を、制御要素、ここではベゼル９の、所定位置間での変位が、リードスイッチ２６の状態を変えるように、設ける。図８は、作動位置での制御要素を表している。図説した実施形態では、リードスイッチ２６を、ベゼル９と一体化させる一方で、永久磁石２７を、ケース２と一体化させる。或いは、電気回路とリードスイッチ２６を、ケース内に収容してもよく、磁石を、制御要素に運動学的に接続してもよい。
【００３９】
図示しない実施形態の変形例では、携帯品は、少なくとも１個の永久磁石２７と協働する少なくとも２個のリードスイッチ２６を含む。基本的に、リードスイッチ２６を、外部磁界が、リードスイッチの組立体を同時に切替えできないように配置する。これを達成するために、リードスイッチは、別々の方位を有し、好適には、略垂直に配置される。スイッチ２６を、従って、リーダや磁石を使用した不正接続中に、均一な外部磁界に置くことによって、同時に閉成できないようにする。これは、リードスイッチを使用して、近距離無線通信装置を更に安全化する。
【００４０】
図９及び図１０は、リードスイッチを使用して完全に近距離無線通信装置を安全化可能にする他の構造を提示している。リーダ及び磁石を用いて、不正接続の危険を防ぐために、携帯品は、同じくリードスイッチである更なる安全化スイッチ３３を含む。主リードスイッチ２６とは対照的に、通常の機能中には状態を変えず、攻撃の場合にだけ変えるようにするため、安全化スイッチ３３を、永久磁石に接続しない。
【００４１】
図９で表した第１構造では、安全化スイッチ３３を、リードスイッチ２６と直列に取付ける。安全化スイッチ３３は、この場合、常時閉路のＮＣ形スイッチ、即ち、磁界がないときに閉成され、磁界の影響下で開位置に切替わるスイッチである。リードスイッチ２６は、常時開路のＮＯ形であり、ＮＣ形スイッチと逆に動作する。磁石を使用した攻撃の場合、安全化スイッチ３３とリードスイッチ２６は、外部磁界の影響下で同時に切替わり、それにより通信装置が、非作動状態のままになり、安全化スイッチは開成される。好適には、確実に、スイッチ２６を制御する永久磁石２７の変位が、安全化スイッチ３３に影響を与えないようにしつつ、リードスイッチ２６と安全化スイッチ３３を、出来るだけ近くに配置する。 
【００４２】
図１０に表した第２実施形態では、安全化スイッチ３３を、リードスイッチ２６と並列に取付ける。この構成では、２スイッチは、同じ種類のものである。図１０に表した実施例では、両スイッチは、ＮＯ形であり、安全化スイッチを、バイパス分岐部に取付けている。外部磁界による攻撃の場合には、安全化スイッチは、リードスイッチと同時に閉成し、それによりアンテナ１１が短絡し、装置が非作動状態のままとなる。同様に、ＮＣ形の２スイッチも、位置を逆にすることによって使用でき、その際、制御リードスイッチ２６は、バイパス分岐部にある。
【００４３】
図１１は、本発明による腕時計１の第２実施形態を表しており、腕時計１は、ムーブメント８を収容する胴部２を含む。近距離無線通信装置は、ムーブメント８の周縁部に取付けられ、電子チップ１０及びアンテナ１１を含む。アンテナ１１は、押ボタン１８の反対側に位置する２端部１２、１３を備える開ループを形成する。押ボタン１８の端１９を、導電材料で作製し、２端部１２、１３一緒に当接するように設ける。これを行うために、端部の少なくとも一方を、弾性支持部に取付ける、又は端１９を、押ボタン１８に対して若干回動可能に取付けることもできる。
【００４４】
押ボタン１８は、端１９と端部１２、１３との間が接触しない非作動位置に押ボタンを保持する復元バネ１６を、更に含む。この非作動位置では、アンテナ１１とチップ１０によって形成する電気回路は、開成し、通信装置を非作動状態にする。押ボタン１８を押圧すると、該ボタンの端１９が変位し、端部１２、１３と当接するが、これは、チップ１０及びアンテナ１１によって形成した電気回路を閉じる効果、及び近距離無線通信装置を作動状態にする効果を有する。押ボタン１８にかかる圧力を解放すると直ぐに、押ボタン１８は、自動的に非作動位置に戻り、通信装置を作動停止する。勿論、回転によっても、又は圧力によっても、制御竜頭を介して前述した２変形例を作成できる。前述したように、ガルバニックスイッチを、磁気スイッチと置換できる。この場合、永久磁石を、運動学的に押ボタンに、又は両端部と置換えたリードスイッチを制御するために、制御竜頭に接続できる。前述したように、押ボタンを、電気回路と並列にし、ユーザが押ボタンを押したときに、接点を開成し、システムを作動状態にするように、構成できる。
【００４５】
図１２及び図１３は、本発明による別の種類の携帯品、即ちＩＣカード２０を表している。ＩＣカード２０は、近距離無線通信装置を含み、該装置を、材料に埋込み、アンテナ１１を電子チップ１０に接続することによって形成する。アンテナ１１は、カード２０の表面で開口する２部分１２、１３で終端する開ループを形成する。これらの部分は、導電性であり、銀行カードの電気接点のように、環境による影響を受け難い。例えば、エラストマ材料で作製した可撓セグメント２１は、部品２２を画成し、部品２２を折曲可能にする蝶番を形成する。部品２２は、可撓セグメント２１によって形成する蝶番周りに変位できる制御要素を構成する。圧力が全くない時には、部品２２は、ＩＣカード２０の平面に、即ち図５に表した非作動位置にある。部品２２は、導電板２３を含み、該導電板は、若干突出しており、アンテナ１１及びチップ１０によって形成する電気回路を閉成し、近距離無線通信装置を作動するために、図１３で表した作動位置へ部品２２を折曲すると、端部１２、１３に当接するように設ける。可撓セグメント２１を形成する材料の弾性により、部品２２が非作動位置に自動的に弾性復元可能にする。或いは、部品２２は、永久磁石２７を含み、アンテナ１１のループに直列に取付けたリードスイッチ２６を制御してもよい。
【００４６】
図１４及び図１５は、本発明によるＩＣカードの実施形態の変形例を表している。ＩＣカード２０は、ここでは、断面から見たものであり、図１４では、通信装置が非作動状態であり、図１５では、作動状態である。ＩＣカード２０は、多層構造を有している。多層構造は、リーダと当接するようにした下層２９、上層２８、及び上下層間に、スペーサ３０を含む。スペーサ３０、下層２９及び上層３１は、ＩＣカード２０内部で凹部３２を画成する。前の実施形態で記載した端部１２、１３及び導電板２３が、ここでも再び見られる。これらの要素を、互いに対向させて、其々上下層の内面に接して、空洞部３２内に設置する。上層２８は、少なくとも部分的に凹部３２を画成する変形可能な壁３１を含む。変形可能な壁３１に圧力を加えることによって、壁３１を、非作動位置から、端部１２、１３と導電板２３との間で電気的接触を確立する作動位置に変位させる。その結果、変形可能な壁３１は、制御要素を構成する。壁の弾性により、圧力を解放すると直ぐに、元の非作動位置に回復可能になる。
【００４７】
本発明による携帯品は、極めて簡単に使用でき、携帯品の状態の変化を、外部の電子装置から、例えば、スマートフォンから事前に制御しなければならない従来技術の電子スイッチを備える携帯品と比べて、安全性が高い。
【００４８】
有利には、本発明で提案する安全化装置は、携帯品が、通信しようとするリーダの磁気の影響付近及び影響下に既にあるときに、作動でき、それにより制御要素を作動位置に変位させると直ぐに、対象リーダとの通信を瞬時に確立するようにしたため、不正通信の危険性を排除できる。また、制御要素を非作動位置に自動的に戻すことで、所望の操作が実行されると直ぐに、且つ携帯品が、再び対象リーダの磁界範囲内にある場合でも、装置を即座に安全化できる。
【００４９】
また、本発明で提案する機械的係止手段により、ユーザは、近距離無線通信装置の安全化に関する制御が可能になり、ユーザに、今まで欠けていた、この技術を使用する際の信頼を与えられる。
【００５０】
アンテナを作製するのに、Ｃｅｒａｇｏｌｄ（登録商標）加工を使用すると、幾つかの利点がある。該加工により、アンテナを、腕時計の部品、例えばベゼルや、文字盤、ケースにも容易に組込み可能になる。この組込みは、外面では視認可能で美しく、それに対して、内面では目立たないようにできる。また、この製造方法により、最も過酷な使用条件において、且つ最も厳しい環境において経年劣化に耐え得る、極めて耐久性が高く、頑丈なアンテナを作製できる。更に、アンテナの作製を、時間情報を読み易くするための刻印の作製とも容易に組合せできる。同様に、導電要素として非晶質金属を使用することも、考えられる。
【００５１】
当業者は、クレームの範囲から逸脱せずに、提示した実施形態から多数の変形例を作成できる。
【符号の説明】
【００５２】
１      腕時計  
２      胴部
３      制御竜頭
４      文字盤  
５、６  針  
７      ガラス      
８      ムーブメント  
９      ベゼル  
１０    電子チップ
１１    アンテナ
１２、１３  端部  
１４、１５  接触脚
１６    バネ  
１７    凸部  
１８    押ボタン  
１９    端
２０    ＩＣカード
２１    可撓セグメント
２２    部品
２３    ハウジング  
２４    プリント回路  
２６    リードスイッチ  
２７    永久磁石  
２８    上層
２９    下層
３０    スペーサ
３１    変形可能な壁
３２    空洞部
３３    安全化スイッチ  
４１    機械スイッチ
４２    バイパス分岐部
【図１】
2018109623.tif 000003
【図２】
2018109623.tif 000004
【図３】
2018109623.tif 000005
【図４】
2018109623.tif 000006
【図５】
2018109623.tif 000007
【図６】
2018109623.tif 000008
【図７】
2018109623.tif 000009
【図８】
2018109623.tif 000010
【図９】
2018109623.tif 000011
【図１０】
2018109623.tif 000012
【図１１】
2018109623.tif 000013
【図１２】
2018109623.tif 000014
【図１３】
2018109623.tif 000015
【図１４】
2018109623.tif 000016
【図１５】
2018109623.tif 000017